【手続補正書】
【提出日】平成26年6月23日(2014.6.23)
【手続補正１】
【補正対象書類名】特許請求の範囲
【補正対象項目名】全文
【補正方法】変更
【補正の内容】
【特許請求の範囲】
【請求項１】
青の色光を発光する第１固体光源及び集光レンズを備えた第１固体光源ユニットと、
前記第１固体光源ユニットからの色光を第１偏光成分と第２偏光成分に偏光分離し、かつ青の色光と緑及び赤成の色光を合成するダイクロイックミラーと、
前記第１偏光成分の光により励起されて緑及び赤成分の蛍光を発光し前記ダイクロイックミラーに入射させる蛍光発光板と、
前記第２偏光成分の偏光を円偏光に変換する第１位相差板と、
前記第１位相差板を透過した光を反射して再度前記第１位相差板に入射させる反射板とを備え、
前記蛍光発光板からの色光と前記第１位相差板を再透過した色光とが前記ダイクロイックミラーで合成されて、白色光を出射する光源装置であって、
前記第１固体光源ユニットと前記ダイクロイックミラーとの間に配置され、前記第１固体光源ユニットからの光の偏光方向を変換し、前記ダイクロイックミラーへ入射するＰ偏光成分とＳ偏光成分の光を一定の比率に制御する第２位相差板を備えたことを特徴とする光源装置。
【請求項２】
前記ダイクロイックミラーと前記蛍光発光板の間に配置され、前記ダイクロイックミラーで偏光分離された前記第１偏光成分を集光する集光部を備え、
前記集光部で集光された光が前記蛍光発光板に入射する請求項１記載の光源装置。
【請求項３】
第１固体光源及び集光レンズを備えた第１固体光源ユニットと、
前記第１固体光源ユニットからの色光を反射し、かつ青の色光と緑及び赤成の色光を合成するダイクロイックミラーと、
前記ダイクロイックミラーにより反射された前記第１固体光源からの色光を集光する第１集光部と、
前記第１集光部で集光された光で励起されて緑及び赤成分の蛍光を発光し前記ダイクロイックミラーに入射させる蛍光発光板と、
第２固体光源を備えた第２固体光源ユニットと、
前記第２固体光源ユニットからの光を集光する第２集光部とを備え、
前記蛍光発光板からの色光と前記第２固体光源ユニットからの色光とが前記ダイクロイックミラーで合成されて、白色光を出射する光源装置であって、
前記第１固体光源ユニットと前記ダイクロイックミラーとの間に配置され、前記第１固体光源ユニットからの光の偏光方向を変換してＳ偏光とする第３位相差板を備えたことを特徴とする光源装置。
【請求項４】
前記第１固体光源が青色半導体レーザーである請求項１または３に記載の光源装置。
【請求項５】
前記第１固体光源から出射する光が直線偏光の光である請求項１または３に記載の光源装置。
【請求項６】
前記第２固体光源が発光ダイオードである請求項３記載の光源装置。
【請求項７】
前記第１固体光源ユニットが複数の固体光源ユニットで構成された請求項１または３に記載の光源装置。
【請求項８】
前記第１位相差板が１／４波長板である請求項１記載の光源装置。
【請求項９】
前記第２位相差板が１／２波長板である請求項１記載の光源装置。
【請求項１０】
前記第３位相差板が１／２波長板である請求項３記載の光源装置。
【請求項１１】
前記第２位相差板の光軸の方向を変化させる回転調整機構を備えた請求項１に記載の光源装置。
【請求項１２】
前記第３位相差板の光軸の方向を変化させる回転調整機構を備えた請求項３に記載の光源装置。
【請求項１３】
前記蛍光発光板は回転制御可能な円形である請求項１または３に記載の光源装置。
【請求項１４】
前記蛍光発光板は、前記ダイクロイックミラーに面する側に配置された蛍光体層と、前記蛍光体層に対して前記ダイクロイックミラーの反対側に配置された反射膜とを有する請求項１または３に記載の光源装置。
【請求項１５】
前記蛍光体層はＣｅ付活ＹＡＧ系黄色蛍光体により形成された請求項１４に記載の光源装置。
【請求項１６】
前記第１固体光源ユニットと、前記ダイクロイックミラーの間に拡散板を備えた請求項１または３に記載の光源装置。
【請求項１７】
白色光を出射する光源装置と、
前記光源装置からの光を集光して照明光を形成する照明部と、
前記照明部からの白色光を青、緑及び赤の各色光に色分離する色分離部と、
色分離された各色光を空間変調して画像光を各々形成する３つの液晶ライトバルブと、
前記液晶ライトバルブから出射した青、緑及び赤の色光の画像光を合成する色合成部と、
前記色合成部で合成された画像光を拡大投写する投写レンズとを備え、
前記光源装置が請求項１または３に記載の光源装置であることを特徴とする投写型表示装置。
【請求項１８】
前記液晶ライトバルブは、透過型の液晶パネルを用いて構成された請求項１７記載の投写型表示装置。
【手続補正２】
【補正対象書類名】明細書
【補正対象項目名】０００５
【補正方法】変更
【補正の内容】
【０００５】
本発明の第１の構成の光源装置は、青の色光を発光する第１固体光源及び集光レンズを備えた第１固体光源ユニットと、前記第１固体光源ユニットからの色光を第１偏光成分と第２偏光成分に偏光分離し、かつ青の色光と緑及び赤成の色光を合成するダイクロイックミラーと、前記第１偏光成分の光により励起されて緑及び赤成分の蛍光を発光し前記ダイクロイックミラーに入射させる蛍光発光板と、前記第２偏光成分の偏光を円偏光に変換する第１位相差板と、前記第１位相差板を透過した光を反射して再度前記第１位相差板に入射させる反射板とを備え、前記蛍光発光板からの色光と前記第１位相差板を再透過した色光とが前記ダイクロイックミラーで合成されて、白色光を出射する光源装置であって、前記第１固体光源ユニットと前記ダイクロイックミラーとの間に配置され、前記第１固体光源ユニットからの光の偏光方向を変換し、前記ダイクロイックミラーへ入射するＰ偏光成分とＳ偏光成分の光を一定の比率に制御する第２位相差板を備えたことを特徴とする。
【手続補正３】
【補正対象書類名】明細書
【補正対象項目名】０００６
【補正方法】変更
【補正の内容】
【０００６】
また、本発明の第２の構成の光源装置は、第１固体光源及び集光レンズを備えた第１固体光源ユニットと、前記第１固体光源ユニットからの色光を反射し、かつ青の色光と緑及び赤成の色光を合成するダイクロイックミラーと、前記ダイクロイックミラーにより反射された前記第１固体光源からの色光を集光する第１集光部と、前記第１集光部で集光された光で励起されて緑及び赤成分の蛍光を発光し前記ダイクロイックミラーに入射させる蛍光発光板と、第２固体光源を備えた第２固体光源ユニットと、前記第２固体光源ユニットからの光を集光する第２集光部とを備え、前記蛍光発光板からの色光と前記第２固体光源ユニットからの色光とが前記ダイクロイックミラーで合成されて、白色光を出射し、前記第１固体光源ユニットと前記ダイクロイックミラーとの間に配置され、前記第１固体光源ユニットからの光の偏光方向を変換してＳ偏光とする第３位相差板を備えたことを特徴とする。
【手続補正４】
【補正対象書類名】明細書
【補正対象項目名】００１０
【補正方法】変更
【補正の内容】
【００１０】
本発明は、上記構成を基本として、以下のような態様をとることができる。
すなわち、第１の構成の光源装置は、前記ダイクロイックミラーと前記蛍光発光板の間に配置され、前記ダイクロイックミラーで偏光分離された前記第１偏光成分を集光する集光部を備え、前記集光部で集光された光が前記蛍光発光板に入射する構成とすることができる。
第１または第２の構成の光源装置において、前記第１固体光源を青色半導体レーザーとすることができる。
また、前記第１固体光源から出射する光が直線偏光の光であることが好ましい。
また、前記第２固体光源を発光ダイオードとすることができる。
また、前記第１固体光源ユニットを複数の固体光源ユニットで構成することができる。
第１の構成の光源装置において、前記第１位相差板を１／４波長板とすることができる。また、前記第２位相差板を１／２波長板とすることができる。
第２の構成の光源装置において、前記第３位相差板を１／２波長板とすることができる。
第１または第２の構成の光源装置において、前記第２または第３位相差板の光軸の方向を変化させる回転調整機構を備えることが好ましい。
また、前記蛍光発光板は回転制御可能な円形とすることができる。
また、前記蛍光発光板は、前記ダイクロイックミラーに面する側に配置された蛍光体層と、前記蛍光体層に対して前記ダイクロイックミラーの反対側に配置された反射膜とを有することが好ましい。前記蛍光体層はＣｅ付活ＹＡＧ系黄色蛍光体により形成することができる。
また、前記第１固体光源ユニットと、前記ダイクロイックミラーの間に拡散板を備えることが好ましい。
上記構成の投写型表示装置において、前記液晶ライトバルブは、透過型の液晶パネルを用いて構成することができる。